(57)【要約】【課題】  リップに取り付けられたウェイトによる乱流の発生を抑制し、且つ、ウェイトがリップから外れ難い構造を備えたルアーを提供することにある。【解決手段】  リップ２が設けられたルアー本体１によってルアーを構成する。リップ２にはウェイト１０を取り付ける。ウェイト１０は、リップ２の表面から突出しないように配置する。【選択図】  図１
2005185257.tif 000002
【特許請求の範囲】
【請求項１】
リップが設けられたルアーであって、前記リップにはウェイトが設けられており、前記ウェイトは、前記リップの表面から突出しないように配置されていることを特徴とするルアー。
【請求項２】
前記ウェイトが、前記リップの内部に配置されている請求項１記載のルアー。
【発明の詳細な説明】
【技術分野】
【０００１】
本発明は、ルアーフィッシングに用いられるルアーに関し、特には、リップ付きのルアーに関する。
【背景技術】
【０００２】
近年、木製やプラスチック製のルアー（疑似餌）を用いたルアーフィッシングが盛んに行われている。ルアーフィッシングでは、対象魚の種類等に応じて種々のルアーが使用されている。例えば、ブラックバス等の小魚を餌とする肉食魚が対象魚の場合は、小魚に似せたルアーが使用されることがある。
【０００３】
図４は、従来から使用されているルアーの一例を示す側面図である。図４に示すルアーを構成するルアー本体２１は小魚に似せた形状を有している。ルアー本体２１における魚の顎に相当する部分にはリップ２２が設けられている。また、リップ２２には、釣糸（図示せず）を結びつけるためのラインアイ２３が取り付けられている。リップ２２は、リトリーブの際に水から抵抗を受けるため、この抵抗を利用してルアーを潜行させることができる。
【０００４】
ルアー本体２１における魚の腹に相当する部分と尻尾に相当する部分とには、フック２８又は２９を連結するためのフックハンガ２４及び２５が取り付けられている。図４の例では、フック２８及び２９は、それぞれスプリットリング２６又は２７を介してフックハンガ２４又は２５に連結されている。なお、フック２８及び２９は、スプリットリング２６又は２７を介さないで、フックハンガ２４又は２５に取り付けることもできる。
【０００５】
また、ルアー本体２１は右側ボディと左側ボディとを接合して構成したものであって、内部は中空構造となっている。ルアー本体２１における魚の胴体に相当する部分の内部には、複数のウェイト（図示せず）が配置されている。複数のウェイトのうち全部又は一部は、ルアー本体２１の内部に設けられたレール（図示せず）に沿ってルアーの前後方向に移動可能となっている。
【０００６】
このため、移動可能なウェイトは、キャスト時においては後側に移動してルアーの飛距離を伸ばすという役目を果たし、ルアーが水中に入ると前側に移動して、固定されたウェイトと共に、ルアーの姿勢を適正なものとするバランサーとしての役目を果たす。
【０００７】
また、ウェイトが移動することによって、ラトル音が発生するように構成されたルアーもある。なお、本明細書においてルアーの前方向とは、リトリーブの際にルアーが進行する方向をいう。
【０００８】
更に、図４に示すルアーにおいては、下記の非特許文献１にも開示されているように、リップ２２にもウェイト３０が取り付けられている。ウェイト３０は、図４に示すように、その一部がリップ２２から露出し、残りの部分がリップ２２に埋め込まれた状態で取り付けられている。
【０００９】
このようなウェイト３０をリップ２２に取り付けた場合は、ロッド操作によって、ルアーに、いわゆる「ジャーク」や「トゥイッチ」といったアクションが与えられた時に、ルアーの姿勢を素早く安定化させることができる。
【００１０】
具体的に説明すると、水中のルアーにジャークやトゥイッチが与えられていない場合は、移動可能なウェイトはバランサーとして機能する位置にあり、ルアーは安定した状態にある。この状態で、ルアーにジャークやトゥイッチが与えられると、移動可能なウェイトはルアーの後側に移動する。この後、移動可能なウェイトはそれがバランサーとして機能する元の位置に戻るが、後側への移動を開始してから元の位置に戻るまでの間、ルアーの姿勢は不安定となる。このとき、リップ２２にウェイト３０が取り付けられていると、ルアーは前傾姿勢をとり易いため、取り付けられていない場合に比べて、素早くルアーの姿勢を安定化させることができる。
【００１１】
また、ウェイト３０をリップ２２に取り付けた場合は、ルアーに起き上がりコボシ的な動作、いわゆる「ローリングアクション」を起こさせることができる。更に、ウェイト３０をリップ２２の先端よりに取り付けることで、水底にルアーが接触した場合に、ラインやロッドを介して釣人に水底の感触を明確に伝達することもできる。
【非特許文献１】「月刊ロッド＆リール」株式会社地球丸、２００３年５月１日、第７巻第７号通巻９５号、ｐ.３７
【発明の開示】
【発明が解決しようとする課題】
【００１２】
しかしながら、上記図４に示すルアーにおいては、リップ２２に取り付けられたウェイト３０の一部分はリップ２２の外に露出している。また、露出したウェイト３０の一部分はリップ２２の表面から突出している。
【００１３】
このため、突出したウェイト３０の一部分が水中においてその周囲に乱流を生じさせ、この結果、ルアーのアクションに悪影響を及ぼすという問題がある。つまり、突出したウェイト３０によって生じた余計な水流は、ルアー製作者の意図しているルアーアクションの障害となる。
【００１４】
また、このような突出したウェイト３０の一部分は水底や水中の障害物に接触し易く、これによりウェイト３０はリップ２２から外れ易いという問題もある。
【００１５】
本発明の目的は、上記問題を解消し、リップに取り付けられたウェイトによる乱流の発生を抑制し、且つ、ウェイトがリップから外れ難い構造を備えたルアーを提供することにある。
【課題を解決するための手段】
【００１６】
上記目的を達成するために本発明にかかるルアーは、リップが設けられたルアーであって、前記リップにはウェイトが設けられており、ウェイトは、リップの表面から突出しないように配置されていることを特徴とする。
【発明の効果】
【００１７】
以上の特徴により、本発明にかかるルアーによれば、リップに取り付けられたウェイトによる乱流は生じにくいため、乱流によるルアーのアクションへの悪影響は抑制される。また、水底や水中の障害物との接触によって、ウェイトがリップから外れてしまうことも抑制できる。
【００１８】
また、上記本発明にかかるルアーにおいて、ウェイトをリップの内部に配置しておけば、ウェイトはリップの外部に露出しないため、上記の効果は更に発揮される。
【発明を実施するための最良の形態】
【００１９】
以下、本発明の実施の形態にかかるルアーについて、図１〜図３を参照しながら説明する。図１は、本発明の実施の形態にかかるルアーを示す斜視図である。図２は、本発明の実施の形態にかかるルアーを示す側面図である。図３は、本発明の実施の形態にかかるルアーを示す断面図である。
【００２０】
図１〜図３に示すように、本実施の形態にかかるルアーは、小魚に似せた形状を備えたルアー本体１を有している。ルアー本体１における魚の顎に相当する部分には、リップ２が設けられている。また、図１及び図３に示すように、ルアー本体１は、右側ボディ１ａと左側ボディ１ｂとを接合して構成されており、内部は中空構造となっている。図３においては、右側ボディ１ａのみが示されている。
【００２１】
図３に示すように、ルアー本体１における魚の胴体に相当する部分の内部には、ルアー本体１に固定部材１５によって固定された固定ウェイト１１及び１２と、ルアー本体１の内部を前後方向に移動可能な移動ウェイト１３とが収納されている。
【００２２】
移動ウェイト１３は、キャストの際には、レール１４ａ及び１４ｂに沿って、ルアー本体１の後側へと移動する。更に、ルアーが水中に入り、リトリーブが開始されると、リップにかかる水の抵抗により、ルアーは潜行しようと前傾姿勢になるため、ウェイト１３はレール１４ａ及び１４ｂに沿って前側へと移動する。なお、本実施の形態においては、固定部材１５とレール１４ａ及び１４ｂとはルアー本体１と一体的に形成されているが、本発明はこの例に限定されるものではない。
【００２３】
また、図１〜図３に示すように、リップ２には、金属製のウェイト１０が取り付けられている。このため、ルアーにジャークやトゥイッチが与えられることによりウェイト１３が移動してルアーの姿勢が不安定になっても、ルアーの姿勢は素早く安定化する。また、水底の感触をラインやロッドを介して釣人に明確に伝達でき、ルアーにローリングアクションを起こさせることもできる。
【００２４】
更に、本実施の形態にかかるルアーにおいては、ウェイト１０はリップ２の内部に配置されており、リップ２の外部に突出及び露出しないようになっている。このため、リップ２に取り付けられたウェイト１０による乱流の発生が抑制されており、結果、ルアーのアクションに悪影響が及ぶことが抑制される。また、ウェイト１０が水中の障害物に直接接触しないため、リップから外れることはない。
【００２５】
なお、図１〜図３の例では、ウェイト１０の取り付けは、上述のように右側ボディ１ａと左側ボディ１ｂとによる挟み込みによって行っているが、本発明はこれに限定されるものではない。本発明においては、ウェイトの取り付けは接着剤によって行うこともできる。
【００２６】
また、本発明において、ウェイト１０はリップ２の内部に取り付けられた態様に限定されるものではない。本発明においては、ウェイト１０は、リップの表面から突出しないように配置されていれば良い。例えば、ウェイト１０の一部分がリップ２から露出している場合であっても、露出した部分がリップ２の表面と連続した面を形成し、ウェイトの露出した部分によって水流が乱されないようになっていれば良い。
【００２７】
この場合、ウェイト１０のリップ２への取り付けは、右側ボディ１ａ及び左側ボディ１ｂそれぞれのリップ２となる部分に、ウェイト１０の取り付けのための凹部を設けておき、この凹部にウェイト１０を嵌め込むことによって、又は接着剤によって接着することによって行うことができる。また、この場合にウェイト１０が水中の障害物に接触しても、ウェイト１０はリップ２から突出していないため、リップから外れ難くなっている。
【００２８】
また、本発明において、リップ２に取り付けるウェイト１０の形状、大きさ、質量及び位置は特に限定されるものではなく、ルアー全体の大きさ、用途、対象魚、使用されるエリア等を考慮して設定される。更に、ウェイト１０の形成材料は金属に限られず、他の材料であっても良い。
【００２９】
また、図１〜図３に示すように、ルアー本体１の魚の腹に相当する部分と尻尾に相当する部分とには、フックハンガ４及び５がそれぞれ取り付けられている。フックハンガ４及び５は、図３に示すように、線材をひょうたん状（８の字状）に折り曲げて形成されており、右側ボディ１ａと左側ボディ１ｂとによって挟み込まれて固定されている。更に、フックハンガ４には、スプリットリング６を介してフック８が連結されており、フックハンガ５には、スプリットリング７を介してフック９が連結されている。
【００３０】
なお、図１〜図３の例に示すフック８及び９は、一般にトリプルフックと呼ばれるものであるが、本発明はこれに限定されるものではない。本発明においては、フック８及び９は、ダブルフックと呼ばれるものであっても良い。また、フック８及び９は、スプリットリング６及び７を介さずに、フックハンガ４又は５に連結されていても良い。
【００３１】
更に、図１〜図３に示すように、リップ２には、釣糸（図示せず）を結びつけるためのラインアイ３が取り付けられている。ラインアイ３も、フックハンガ４及び５と同様に、線材をひょうたん状（８の字状）に折り曲げて形成されており、右側ボディ１ａと左側ボディ１ｂとで挟み込まれて固定されている。
【産業上の利用可能性】
【００３２】
以上のように本発明にかかるルアーによれば、リップのウェイトに起因するルアーのアクションへの悪影響が抑制できるため、ルアー製作者が意図している効果的なルアーアクションを対象魚にアピールすることができる。よって、ヒット数の向上が期待できる。また、リップに取り付けられたウェイトはリップから外れ難くなっている。
【図面の簡単な説明】
【００３３】
【図１】図１は、本発明の実施の形態にかかるルアーを示す斜視図である。
【図２】図２は、本発明の実施の形態にかかるルアーを示す側面図である。
【図３】図３は、本発明の実施の形態にかかるルアーを示す断面図である。
【図４】従来から使用されているルアーの一例を示す側面図である。
【符号の説明】
【００３４】
１  ルアー本体
１ａ  右側ボディ
１ｂ  左側ボディ
２  リップ
３  ラインアイ
４、５  フックハンガ
６、７  スプリットリング
８、９  フック
１０  ウェイト
１１、１２  固定ウェイト
１３  移動ウェイト
１４ａ、１４ｂ  レール
１５  固定部材
【図１】
2005185257.tif 000003
【図２】
2005185257.tif 000004
【図３】
2005185257.tif 000005
【図４】
2005185257.tif 000006